(57)【要約】【課題】記録データに応じて記録パルス列に変調されたレーザ光を照射して、再生光学系における解像限界未満の大きさの記録マーク及びスペースと、解像限界以上の大きさの記録マーク及びスペースと、を含む記録マーク列を形成することにより、超解像光記録媒体への情報を記録する際の、記録レーザパワーの決定方法を最適化することを課題とする。【解決手段】記録前の試し書きによって求められる記録可能なレーザパワーの最大値及び最小値を求め、前記最大値と最小値の差の３分の１の値を前記最小値に加えて、記録レーザパワーの最適範囲の最大値とし、前記最小値と前記最適範囲の最大値との間に記録レーザパワーの最適範囲を決定する。【選択図】図５
2007293941.tif 000002
【特許請求の範囲】
【請求項１】
記録データに応じて記録パルス列に変調されたレーザ光を照射して、再生光学系における解像限界未満の大きさの記録マーク及びスペースと、解像限界以上の大きさの記録マーク及びスペースと、を含む記録マーク列を形成することにより、超解像光記録媒体へ情報を記録する際の記録レーザパワーの決定方法であって、
記録前の試し書きによって求められる記録可能なレーザパワーの最大値及び最小値を求める過程と、
前記最大値と最小値の差の３分の１の値を前記最小値に加えて、記録レーザパワーの記録可能範囲の最大値とする過程と、
前記最小値と前記記録可能範囲の最大値との間に、記録レーザパワーの最適範囲を設定する過程と、
を有することを特徴とする超解像光記録媒体の記録レーザパワーの決定方法。
【請求項２】
記録データに応じて記録パルス列に変調されたレーザ光を照射して、再生光学系における解像限界未満の大きさの記録マーク及びスペースと、解像限界以上の大きさの記録マーク及びスペースと、を含む記録マーク列を形成することにより、情報を記録する超解像光記録媒体への情報記録装置であって、
前記超解像光記録媒体にレーザビームを照射するためのヘッドと、
このヘッドに対して、前記レーザビームを記録パルス列に変調制御するためのレーザ駆動信号を供給するレーザ駆動回路と、
前記レーザ駆動信号を生成するレーザコントロール回路と、
記録前の試し書きによって求められる記録可能なレーザパワーの最大値及び最小値を求め、前記最大値と最小値の差の３分の１の値を前記最小値に加えて、記録レーザパワーの記録可能範囲の最大値とし、前記最小値と前記記録可能範囲の最大値との間に、記録レーザパワーの最適範囲を設定し、且つ、この設定値を前記レーザ駆動回路に出力する記録レーザパワー決定回路と、
を有することを特徴とする超解像光記録媒体への情報記録装置。
【発明の詳細な説明】
【技術分野】
【０００１】
本発明は、再生光学系における解像限界未満の大きさの記録マークを再生することができる超解像光記録媒体の記録レーザパワー決定方法及び超解像光記録媒体への情報記録装置に関する。
【背景技術】
【０００２】
近年、例えば特許文献１に記載されるように、再生光学系における回折限界よりも小さい記録マーク列の再生が可能な超解像光記録媒体が提案されている。
【０００３】
この超解像光記録媒体では、再生光学系の解像限界を超えた微小記録マーク（超解像記録マーク）の再生が可能であるが、この原理は未だ明確ではない。
【０００４】
一般的に、再生波長λ、対物レンズの開口数ＮＡの光学系を用いた再生系では、ｆＣ＝２ＮＡ／λがカットオフ周波数となり、これ以上高い周波数の周期の読み取りは不可能になる。このことを、長さの次元で言い換えると、再生波長λ、対物レンズの開口数ＮＡの光学系を用いた再生系では、ＤＣ＝１／ｆＣ＝λ／ＮＡ／２よりも短い周期構造を、周期として認識することが出来ないということになる。この値ＤＣを回折限界と呼ぶ。光記録における周期とは、一対のマーク（ピット）とスペースにより定義される。超解像再生とは、このＤＣよりも短い周期構造を形成するマークとスペースの対を分離して再生できる技術である。ここで、マークとスペースの長さが等しいとすると、上記の周期を意味する回折限界は、ＬＣ＝ＤＣ／２＝λ／ＮＡ／４という、マーク（スペース）の長さで表すことができ、概念的に簡便である。このＬＣを解像限界と呼ぶ。
【０００５】
一般に、光記録媒体への記録時において、記録レーザパワーを決定する方法としては、特許文献２に記載されているように、異なったレーザパワーで複数のデータを試し書きし、該データを再生し、エラー特性を測定し、記録可能範囲を求め、その略中心の値としている。
【０００６】
ここで、特許文献２における記録可能範囲とは、この範囲内のレーザパワーで記録を行えば、再生データ中のエラーレートが訂正処理可能である範囲をいう。
【０００７】
【特許文献１】特開２００３−６８７２号公報
【特許文献２】特開平３−９１１２４号公報
【発明の開示】
【発明が解決しようとする課題】
【０００８】
この発明は、超解像光記録媒体への記録時に、記録データに応じて記録パルス列に変調されたレーザ光を照射する際の、記録レーザパワーの決定方法を最適化することを課題とする。
【０００９】
又、同記録レーザパワーの決定方法を用いて超解像光記録媒体への情報記録装置を提供することを課題とする。
【課題を解決するための手段】
【００１０】
本発明者は、鋭意研究の結果、超解像光記録媒体への記録時に、従来の光記録媒体と同様の方法で記録レーザパワーを決定すると、記録時の符号間干渉によって、解像限界未満の大きさのマークを再生する際に、再生信号のレベルの均一性が保てず、波形の分離性がよくないこと、及び記録レーザパワーをより低く設定することにより、再生時の波形が良好となることを見出した。
【００１１】
即ち、以下の実施例により上記課題を解決することができる。
【００１２】
（１）記録データに応じて記録パルス列に変調されたレーザ光を照射して、再生光学系における解像限界未満の大きさの記録マーク及びスペースと、解像限界以上の大きさの記録マーク及びスペースと、を含む記録マーク列を形成することにより、超解像光記録媒体へ情報を記録する際の記録レーザパワーの決定方法であって、記録前の試し書きによって求められる記録可能なレーザパワーの最大値及び最小値を求める過程と、前記最大値と最小値の差の３分の１の値を前記最小値に加えて、記録レーザパワーの最適範囲の最大値とする過程と、前記最小値と前記記録可能範囲の最大値との間に、記録レーザパワーの記録可能範囲を設定する過程と、を有することを特徴とする超解像光記録媒体の記録レーザパワーの決定方法。
【００１３】
（２）記録データに応じて記録パルス列に変調されたレーザ光を照射して、再生光学系における解像限界未満の大きさの記録マーク及びスペースと、解像限界以上の大きさの記録マーク及びスペースと、を含む記録マーク列を形成することにより、情報を記録する超解像光記録媒体への情報記録装置であって、前記超解像光記録媒体にレーザビームを照射するためのヘッドと、このヘッドに対して、前記レーザビームを記録パルス列に変調制御するためのレーザ駆動信号を供給するレーザ駆動回路と、前記レーザ駆動信号を生成するレーザコントロール回路と、記録前の試し書きによって求められる記録可能なレーザパワーの最大値及び最小値を求め、前記最大値と最小値の差の３分の１の値を前記最小値に加えて、記録レーザパワーの記録可能範囲の最大値とし、前記最小値と前記記録可能範囲の最大値との間に、記録レーザパワーの記録可能範囲を設定し、且つ、この設定値を前記レーザ駆動回路に出力する記録レーザパワー決定回路と、を有することを特徴とする超解像光記録媒体への情報記録装置。
【発明の効果】
【００１４】
本発明は、超解像光記録媒体に記録マークを形成する際に、最適なレーザパワーの決定方法及び装置を提供する。
【発明を実施するための最良の形態】
【００１５】
最良の形態に係る記録レーザパワーの決定方法は、記録データに応じて記録パルス列に変調されたレーザ光を照射して、再生光学系における解像限界未満の大きさの記録マーク及びスペースと、解像限界以上の大きさの記録マーク及びスペースと、を含む記録マーク列を形成することにより、超解像光記録媒体への情報を記録する際に、記録前の試し書きによって求められる記録可能範囲のうち、下限から３分の１の間に記録レーザパワーの最適範囲を設定することにより、上記課題を解決するものである。
【００１６】
以下本発明の実施形態について図１乃至図３を参照して詳細に説明する。
【００１７】
この実施形態では、超解像光記録媒体１０に対して、図２に示されるような情報記録／再生装置３０により、情報の記録及び再生を行なう。
【００１８】
超解像光記録媒体１０は、図１に示されるように、基板１２上に、反射層１３と、第３の誘電体層１４と、光吸収層１５と、第２の誘電体層１６と、白金酸化物を主成分として含む分解反応層１７と、第１の誘電体層１８と、光透過層１９とをこの順で積層してなり、光透過層１９を介して、レーザ光２０が照射されたときに、分解反応層１７に主成分として含まれている白金酸化物が白金と酸素に分解され、生成された酸素ガスによって、空洞が形成されるとともに、白金の微粒子が空洞内に析出することによって、分解反応層１７に記録マークが形成されるように構成されている。
【００１９】
情報記録／再生装置３０は、超解像光記録媒体１０を回転させるためのスピンドルモータ３２、レーザビームを超解像光記録媒体１０に照射するためのヘッド３４、このヘッド３４及びスピンドルモータ３２を制御するためのコントローラ３６、ヘッド３４からのレーザビームを、パルス列に変調制御するためのレーザ駆動信号を供給するレーザ駆動回路３８と、ヘッド３４にレンズ駆動信号を供給するレンズ駆動回路４０と、を備えて構成されている。
【００２０】
コントローラ３６には、フォーカスサーボ追従回路３６Ａ、トラッキングサーボ追従回路３６Ｂ、レーザコントロール回路３６Ｃ及び記録レーザパワー決定回路３６Ｄが含まれている。
【００２１】
レーザコントロール回路３６Ｃは、レーザ駆動回路３８により供給されるレーザ駆動信号を生成する回路であり、データの記録時においては、対象となる超解像光記録媒体に記録されている記録条件設定情報に基づいて適切なレーザ駆動信号の生成を行なうようにされている。
【００２２】
記録条件設定情報とは、超解像光記録媒体に対してデータを記録する場合に必要な各種条件を特定するために用いられる情報を言う。本実施形態においては、記録条件設定情報には、後述する記録ストラテジを決定するために必要な情報が少なくとも含まれている。
【００２３】
記録条件設定情報としては、データの記録に必要な各条件を具体的に示すもののみならず、情報記録／再生装置内に予め格納されている各種条件のいずれかを指定することにより、記録条件の特定を行なうものも含まれる。
【００２４】
記録時のレーザビームは、パルス変調して記録層に照射され、このときの変調するパルス数、パルス幅、パルス間隔、パワー等の設定が記録ストラテジとなる。
【００２５】
記録すべきデータは、記録層のトラックに沿った記録マークの長さに変調し、且つ、記録マーク及びスペースの長さを、１クロック周期をＴとしたときに、Ｔの整数倍ｎＴに対応させて記録するようにされている。
【００２６】
記録レーザパワー決定回路３６Ｄは、記録レーザパワーを決定する回路であり、データの記録時においては、信号のキャリア雑音比ＣＮＲ（Ｃａｒｒｉｅｒ  ｔｏ  Ｎｏｉｓｅ  Ｒａｔｉｏ）が最適範囲内となるべく、記録レーザパワーを決定するようにされている。決定された記録レーザパワーの値は、レーザコントロール回路３６Ｃが生成するレーザ駆動信号として、レーザ駆動回路３８により供給するようにされている。
【００２７】
記録レーザパワー決定回路３６Ｄは、図３に示されるように、ＣＮＲ検出部４２、最大値最小値検出部４４、演算部４６及び最適範囲決定部４８を備えている。
【００２８】
ＣＮＲ検出部４２は、記録前の試し書きによって形成された記録マークを読み取って得たデータのＣＮＲを検出し、最大値最小値検出部４４に供給するようにされている。
【００２９】
最大値最小値検出部４４は、ＣＮＲ検出部４２から受け取ったＣＮＲのうち、記録可能範囲内となるＣＮＲに対応した記録マークを形成した記録レーザパワーのうち最大値及び最小値を演算部４６に供給するようにされている。
【００３０】
ここで、記録可能範囲とは、この範囲内のレーザパワーで記録を行えば、再生データのＣＮＲが一定値以上となる範囲を言う。
【００３１】
演算部４６は、最大値最小値検出部４４から受け取った２つの値の差を計算し、差の３分の１の値を最小値に加えて得られた値及び最小値を最適範囲決定部４８に供給するようにされている。
【００３２】
最適範囲決定部４８は、演算部４６から受け取った２つの値との間に、記録レーザパワーの最適範囲を決定するようにされている。
【実施例】
【００３３】
上記超解像光記録媒体に単一の信号で記録レーザパワーを変えて記録し、ＣＮＲを測定した。具体的には、８Ｔマークを単一パルスにより記録したときの８ＴマークにおけるＣＮＲを測定した。
【００３４】
この結果を表１に示す。
【００３５】
【表１】
2007293941.tif 000003
【００３６】
また、この結果をプロットしたものを図４に示す。図４においては、縦軸を８ＴマークにおけるＣＮＲ、横軸を記録レーザパワーの強さとし、プロットＡ〜Ｆは、表１におけるＡ、Ｂ、Ｃ、Ｄ、Ｅ及びＦにそれぞれ対応している。
【００３７】
表１及び図４より、Ａ、Ｂ及びＣ、つまり３.５〜５.０ｍＷの範囲が記録可能範囲となる。
【００３８】
なお、本実施例においては、８ＴマークにおけるＣＮＲが５０．０ｄＢ以上の範囲を記録可能範囲と設定している。
【００３９】
記録可能範囲内の、３．５ｍｗ、４．０ｍＷ、５．０ｍＷの３種類の記録レーザパワーで、特定のパターンの信号を８Ｔマークと２Ｔスペース乃至８Ｔスペース（図５において符号２〜８で示される）を組み合せて記録し、その記録パターンの再生波形を図５に示す。図５においては、３．５ｍＷの記録レーザパワーで記録した場合を実線で、４．０ｍＷの記録レーザパワーで記録した場合を一点鎖線で、５．０ｍＷの記録レーザパワーで記録した場合を破線でそれぞれ示す。図中の二点鎖線で囲まれたＡに示されるように、２Ｔスペースの再生時において、３．５ｍＷ及び４．０ｍＷの記録レーザパワーで記録した場合は波形が良好であるが、５．０ｍＷの記録レーザパワーで記録した場合は、波形が乱れている。これは、記録時の符号間干渉によりマークの分離ができていないためであると考えられる。
【００４０】
本実施例より、最適範囲は、下限は記録可能範囲の最小値に、上限は記録可能範囲の最大値と最小値の差の３分の１の値を最小値に加えた値となることが分かる。
【００４１】
以上より、超解像光記録媒体の記録時においては、既存の記録レーザパワー決定方法では再生時に再生信号のレベルの均一性が保てず、波形の分離性がよくないこと、及び本実施形態の記録レーザパワー決定方法では、再生時の波形が良好となることが分かる。
【００４２】
なお、本実施例では、８ＴマークにおけるＣＮＲが５０．０ｄＢ以上の範囲を記録可能範囲となるが、本発明はこれに限定されるものではなく、８Ｔマーク以外の大きさのマークを用いても、また、「５０．０ｄＢ以上」以外の基準を設けて記録可能範囲としてもよい。
【図面の簡単な説明】
【００４３】
【図１】本発明の実施形態に係る超解像光記録媒体の要部を模式的に拡大して示す断面図
【図２】本発明の実施形態に係る情報記録／再生装置を模式的に示すブロック図
【図３】本発明の実施形態に係る記録レーザパワー決定回路を模式的に示すブロック図
【図４】記録レーザパワーを変えて８Ｔマークを単一パルスにより記録したときの８ＴマークにおけるＣＮＲを示すプロット図
【図５】記録可能範囲内の記録レーザパワーで、８Ｔマークと、２Ｔスペース乃至８Ｔスペースを組み合せて記録した記録パターンの再生波形を示す線図
【符号の説明】
【００４４】
１０…超解像光記録媒体
１２…基板
１７…分解反応層
１９…光透過層  
３０…情報記録／再生装置
３６…コントローラ
３６Ｃ…レーザコントロール回路
３６Ｄ…記録レーザパワー決定回路
３８…レーザ駆動回路
４２…ＣＮＲ検出部
４４…最大値最小値検出部
４６…演算部
４８…最適範囲決定部
【図１】
2007293941.tif 000004
【図２】
2007293941.tif 000005
【図３】
2007293941.tif 000006
【図４】
2007293941.tif 000007
【図５】
2007293941.tif 000008